(57)【要約】【課題】高昇降行程であっても、群管理された各エレベータへのデータ伝送を確実に行うことができるインフォメーションデータ配信システム及びインフォメーションデータ配信方法を提供する。【解決手段】群管理制御装置9によって群管理されたエレベータにおける基準待機階付近の昇降路内に設置された無線機11-1,11-2と、無線機に通信ケーブルを介してインフォメーションデータを配信する配信サーバ10と、乗りかごに設けられ、当該乗りかごが基準待機階に停止中に、配信サーバから配信されたインフォメーションデータを無線機からの無線送信データとして受信して、乗りかご内の案内装置に供給するインフォメーション制御装置13-1〜13-2とを備える。【選択図】図１
2019163105.tif 000002
【特許請求の範囲】
【請求項１】
群管理制御装置によって群管理されたエレベータにおける基準待機階付近の昇降路内に設置された無線機と、
前記無線機に通信ケーブルを介してインフォメーションデータを配信する配信サーバと、
乗りかごに設けられ、当該乗りかごが基準待機階に停止中に、前記配信サーバから配信されたインフォメーションデータを前記無線機からの無線送信データとして受信して、乗りかご内の案内装置に供給するインフォメーション制御装置と、
を備えることを特徴とするインフォメーションデータ配信システム。
【請求項２】
前記配信サーバは、前記群管理制御装置で設定されたエレベータの設定の優先度の閾値よりも呼び需要が小さい時に、インフォメーションデータの配信タイミングを設定し、
設定された配信タイミングで前記無線機を介してインフォメーションデータを前記基準待機階に停止中のエレベータのインフォメーション制御装置に無線送信する、
ことを特徴とする請求項１に記載のインフォメーションデータ配信システム。
【請求項３】
前記配信サーバは、前記エレベータが設置された建屋に設置された管理装置からの手動指示によって前記インフォメーションデータの配信タイミングを設定する、
ことを特徴とする請求項１に記載のインフォメーションデータ配信システム。
【請求項４】
インフォメーションデータの配信中に群管理されたエレベータの呼び需要が前記閾値を超えた場合には、前記基準待機階に停止中のエレベータは待機を中断して呼びに応答する、
ことを特徴とする請求項２に記載のインフォメーションデータ配信システム。
【請求項５】
群管理されたエレベータにおける基準待機階付近の昇降路内に設置された無線機と、前記無線機に通信ケーブルを介してインフォメーションデータを配信する配信サーバと、乗りかごに設けられ、当該乗りかごが基準待機階に停止中に、前記配信サーバから配信されたインフォメーションデータを前記無線機からの無線送信データとして受信して、乗りかご内の案内装置に供給するインフォメーション制御装置とを備えるインフォメーションデータ配信システムにおけるインフォメーションデータ配信方法であって、
前記配信サーバからのインフォメーションデータの更新タイミングになると、群管理でのエレベータの呼び需要を判定して呼び応答の優先度を設定し、
インフォメーションデータの更新優先度と、前記呼び応答の優先度とを比較し、
データ更新の優先度の方が、更新対象となるエレベータの呼び応答の優先度よりも低い場合には、当該エレベータは呼び応答に対応し、
データ更新の優先度の方が、更新対象となるエレベータの呼び応答の優先度よりも高い場合には、当該エレベータは基準待機階まで走行して待機し、
前記配信サーバは、前記無線機に対して通信ケーブルを介して更新されたインフォメーションデータを送信し、
前記無線機は、基準待機階に待機中のエレベータの前記インフォメーション制御装置に向けて更新されたインフォメーションデータを伝送する、
ことを特徴とするインフォメーションデータ配信方法。
【発明の詳細な説明】
【技術分野】
【０００１】
本発明の実施形態は、インフォメーションデータ配信システム及びインフォメーションデータ配信方法に関する。
【背景技術】
【０００２】
近年、エレベータの乗りかごには様々な電子機器が設定されている。これらの電子機器とパソコン等の情報機器とを電気的に接続してデータの送受を行いたいという要望が年々増えている。
【０００３】
通常、エレベータ制御装置とかご内機器との間での通信はテールコードを用いて行われている。しかし、建築物の高層化や情報伝送量の増大に伴い、テールコードの配線が増え、テールコードの重量が増加するという不具合がある。
【０００４】
これを解決する手法として、無線通信を用いてデータを伝送するために、アンテナを昇降路の昇降方向全域に設ける技術や、エレベータかご内へのデータ伝送を有線で行う技術が知られている。
【先行技術文献】
【特許文献】
【０００５】
【特許文献１】特許第４９９９３０７号公報
【特許文献２】特許第４８４１７８３号公報
【発明の概要】
【発明が解決しようとする課題】
【０００６】
電子機器と情報機器とを接続する手段として無線ＬＡＮがある。一般的な無線ＬＡＮは通信距離が５０ｍ程度であり、これを超える通信は管理が難しくなるため、高階床で高昇降行程のエレベータでは無線通信が困難である。また、昇降路内にはノイズ源も多く、乗りかごは一般的に鉄板で覆われているため、電波は通りにくい。
【０００７】
無線通信を確実に行うためには、通信が安定していることが不可欠であるが、従来において昇降路内では上記の理由から安定かつ確実な無線通信は困難であるという課題がある。
【０００８】
また、テールコード以外の配線ケーブルを設置することによるエレベータかご内へのデータ伝送は、配線ケーブルがエレベータ走行の邪魔になってしまう。
【０００９】
本発明の目的は、高昇降行程であっても、群管理された各エレベータへのデータ伝送を確実に行うことができるインフォメーションデータ配信システム及びインフォメーションデータ配信方法を提供することにある。
【課題を解決するための手段】
【００１０】
上記の目的を達成するための実施形態は、群管理制御装置によって群管理されたエレベータにおける基準待機階付近の昇降路内に設置された無線機と、無線機に通信ケーブルを介してインフォメーションデータを配信する配信サーバと、乗りかごに設けられ、当該乗りかごが基準待機階に停止中に、配信サーバから配信されたインフォメーションデータを無線機からの無線送信データとして受信して、乗りかご内の案内装置に供給するインフォメーション制御装置とを備える。
【図面の簡単な説明】
【００１１】
【図１】実施形態に係るインフォメーションデータ配信システムの全体構成を示す説明図。
【図２】実施形態に係るインフォメーションデータ配信システムの機能構成を示すブロック図。
【図３】実施形態に係るインフォメーションデータ配信システムの処理手順を示すフローチャート。
【発明を実施するための形態】
【００１２】
図１は、インフォメーションデータ配信システムの実施形態を示す構成図である。
【００１３】
同図に示すように、インフォメーションデータ配信システム１は、建屋２内の昇降路３に配置されたエレベータの乗りかご４にインフォメーションデータを配信して乗りかご４内の表示器等に表示させたり、音声案内したりする。
【００１４】
実施形態では、昇降路３内には１号機から４号機の４台の乗りかご４（４-1〜４-4）が配置されている。それぞれの乗りかご４（４-1〜４-4）は、各別のつり合いおもり５（５-1〜５-4）と主ロープ６（６-1〜６-4）を介して接続され、各巻上機７（７-1〜７-4）によって駆動されている。また、各乗りかご４（４-1〜４-4）の制御、及び巻上機７（７-1〜７-4）の駆動制御は、各エレベータ制御装置８（８-1〜８-4）によって実施される。また、エレベータ制御装置８（８-1〜８-4）は群管理制御装置９に接続され、群管理下におかれる。
【００１５】
また、建屋２の管理センターや昇降路３の機械室等の適宜箇所には、配信サーバ１０が設置されている。本実施形態において、昇降路３には２台の無線機１１-1，１１-2が配置され、各通信ケーブル１２-1，１２-2を介して配信サーバ１０に接続されている。
【００１６】
無線機１１-1，１１-2は、各号機が分散待機される待機階付近に設置されている。無線機１１-1は、1号機の乗りかご４-1と、2号機の乗りかご４-2とで共通に使用されるので、それぞれの待機階近傍の昇降路3内に配置される。同様に、無線機１１-2は、３号機の乗りかご４-3と、４号機の乗りかご４-4とで共通に使用されるので、それぞれの待機階近傍の昇降路3内に配置される。
【００１７】
各乗りかご４（４-1〜４-4）の天井裏等には、各別にインフォメーション制御装置１３（１３-1〜１３-4）が設置されている。インフォメーション制御装置１３-1，１３-2の２台は無線機１１-1からインフォメーションデータを無線受信する。インフォメーション制御装置１３-3，１３-4の２台は無線機１１-2から無線送信されたインフォメーションデータを受信する。
【００１８】
図２は実施形態のインフォメーションデータ配信システム１の機能ブロック図である。なお、各号機へのインフォメーションデータの配信制御は共通するので、号機毎に区別することなく、代表番号を用い、また、主として配信サーバの機能構成について説明する。
【００１９】
群管理制御装置９は、群管理制御部２１と、呼び需要判定部２２と、優先度判定部２３とを備えている。
【００２０】
群管理制御部２１は、各エレベータ制御装置８を制御して最適なエレベータ号機を割り当てる。
【００２１】
呼び需要判定部２２は、インフォメーションデータの更新の際に群管理制御部２１と通信を行い、現在、どのエレベータ号機に呼びが割り当てられているかを取得し、その呼び需要から各エレベータ号機に対して呼び応答の優先度を設定する。
【００２２】
優先度判定部２３は、呼び需要判定部２２で判定された呼び応答の優先度とデータ更新の優先度とを比較し、呼び応答の優先度の方がデータ更新の優先度よりも高い場合には、群管理制御部２１に対して呼び応答に対応するように指示する。逆に、データ更新の優先度の方が呼び応答の優先度よりも高い場合には、該当のエレベータ号機に対して基準待機階で待機するように群管理制御部２１に指示するとともに、配信サーバ１０に対してインフォメーションデータを配信するように指示する。すなわち、エレベータの優先度の閾値よりも呼び需要が小さい時にデータ配信を実行する。
【００２３】
配信サーバ１０は、インフォメーションデータ保存部２４と、配信部２５とを備えている。
【００２４】
インフォメーションデータ保存部２４は、各エレベータ号機の乗りかごに設置されているインフォメーション制御装置に配信されるインフォメーションデータを保存する。
【００２５】
配信部２５は、群管理制御装置９から配信指示があると、インフォメーションデータを通信ケーブル１２を介して無線機１１に向けて送信する。
【００２６】
配信サーバ１０では、インフォメーションデータ保存部２４に保存されているインフォメーションデータの送信タイミングを、群管理上で、該当のエレベータ号機に対する呼び需要が設定の優先度の閾値よりも小さいタイミングに設定する。又は、管理人室等のインプット操作により手動で配信タイミングを設定してもよい。当該号機は、設定タイミングで待機階付近で一定時間待機し、その間にインフォメーションデータを配信する。
【００２７】
＜実施形態の処理手順＞
次に、本実施形態の処理手順を図３のフローチャートを参照して説明する。
【００２８】
群管理制御装置９は、配信サーバ１０からインフォメーションデータの更新のリクエストが有るか否かを監視している。配信サーバ１０内のインフォメーションデータ保存部２４のインフォメーションデータが更新され、インフォメーションデータの更新周期が到来すると（ステップＳＴ１YES）、先ず、群管理制御装置９では、群管理での呼び需要が判定される（ステップＳＴ２）。
【００２９】
データ更新のリクエストがあると、呼び需要判定部２２により群管理での呼び需要を判定し、データ更新対象となるエレベータ号機に対する呼び応答の優先度を優先度判定部２３で設定する（ステップＳＴ２，ＳＴ３）。
【００３０】
次いで、該当のエレベータ号機に対して、データ更新の優先度と呼び応答の優先度とを比較する（ステップＳＴ４）。データ更新の優先度の方が、更新対象となるエレベータ号機の呼び応答の優先度よりも低い場合には、当該エレベータ号機は呼び応答に対応するように制御する（ステップＳＴ４NO，ＳＴ５）。
【００３１】
一方、データ更新の優先度の方が、更新対象となるエレベータ号機の呼び応答の優先度よりも低い場合には、当該エレベータ号機は基準待機階まで走行して待機するよう指示する（ステップＳＴ６）。配信サーバ１０の配信部２５は、無線機１１に対して通信ケーブル１２を介して更新されたインフォメーションデータを送信する。無線機１１は、待機中のエレベータ号機のインフォメーション制御装置１３に向けて更新されたインフォメーションデータの伝送を開始する（ステップＳＴ７）。
【００３２】
無線機１１からインフォメーション制御装置１３へデータを伝送中において、データ更新の優先度よりも呼び需要が増加した場合にはデータ更新のための待機を中断して呼び応答に対応する（ステップＳＴ９，ＳＴ１０）。すなわち、エレベータの優先度の閾値よりも呼び需要が増加したとき、待機を中断して呼び応答に対応する。呼び応答に対応したエレベータは再び、ステップＳＴ１に戻り、更新周期が到来するのを待つ。
【００３３】
一方、データ伝送中において、データ更新の優先度が呼び需要よりも高い状態が続き、全てのインフォメーションデータの伝送が終了すると、無線機１１からの伝送を終了する（ステップＳＴ１１）。伝送されたインフォメーションデータはかご内表示器３１で表示される。
【００３４】
無線機１１からの伝送終了後は、呼び応答の優先度を通常に戻してデータ伝送処理が終了する（ステップＳＴ１２，ＳＴ１３）。
【００３５】
このように、本実施形態では、データ通信中に呼び応答が無く、データ通信が完了すると、データ通信の優先度を自動的に下げ、当該号機は、通常通り乗場呼びに応答する。基準待機階で待機中のエレベータ号機は、待機の間に配信サーバ１０と通信を行って、配信サーバ１０からインフォメーションデータをダウンロードする。また、同一昇降路内に乗りかごが複数台設定されている場合には、エレベータ号機毎に優先度を設定し、別のエレベータ号機に対する通信の順番を設定可能にしている。
【００３６】
したがって本実施形態によれば、データ転送のタイミングをエレベータの群管理上の需給予測と連動させるようにしたので、データ転送用の無線機を昇降路全体に設置することなく、また単距離伝送でも十分に要求を満足させることができる。
【００３７】
また、高昇降行程であっても、群管理された各エレベータへのデータ伝送を確実に行うことができる。また、基準待機階付近に設置された通常の無線機１１を使用してインフォメーションデータを受信できるので、遠距離用の無線機器と比べると、低コストな機器を採用することができ、無線免許の確認も不要となる。さらに、乗りかご内での更新と比べると、それぞれの乗りかご毎にデータをインストールする必要がないので、効率的にインフォメーションデータの更新をすることができる。
【００３８】
＜変形例＞
配信サーバ１０では、インフォメーションデータ保存部２４に保存されているインフォメーションデータの送信タイミングを、群管理上で、該当のエレベータ号機に対する呼び需要が設定の優先度の閾値よりも小さいタイミングに設定したが、管理人室等のインプット操作により配信を群管理より優先として手動で配信タイミングを設定してもよい。
【００３９】
また、配信サーバ１０に保存されたインフォメーションデータの送信タイミングを設定する際に、通信データ量と通信速度とに基づき、あらかじめ通信に必要な時間を算定し、群管理の割り当て履歴と需要予測データとから算定した時間以上、乗りかご停止が可能な時間帯を設定するように構成してもよい。
【００４０】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１…インフォメーションデータ配信システム、２…建屋、３…昇降路、４…乗りかご、４-1…乗りかご（１号機）、４-2…乗りかご（２号機）、４-3…乗りかご（３号機）、４-4…乗りかご（４号機）、５（５-1〜５-4）…つり合いおもり、６（６-1〜６-4）…主ロープ、７（７-1〜７-4）…巻上機、８（８-1〜８-4）…エレベータ制御装置、９…群管理制御装置、１０…配信サーバ、１１（１１-1，１１-2）…無線機、１２（１２-1，１２-2）…通信ケーブル、１３（１３-1〜１３-4）…インフォメーション制御装置、２１…群管理制御部、２２…呼び需要判定部、２３…優先度判定部、２４…インフォメーションデータ保存部、２５…配信部、３１…かご内表示器（案内装置）、３２…テールコード。
【図１】
2019163105.tif 000003
【図２】
2019163105.tif 000004
【図３】
2019163105.tif 000005
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
群管理制御装置によって群管理されたエレベータにおける基準待機階付近の昇降路内に設置された無線機と、
前記無線機に通信ケーブルを介してインフォメーションデータを配信する配信サーバと、
乗りかごに設けられ、当該乗りかごが基準待機階に停止中に、前記配信サーバから配信されたインフォメーションデータを前記無線機からの無線送信データとして受信して、乗りかご内の案内装置に供給するインフォメーション制御装置と、を備え、
前記配信サーバは、前記群管理制御装置で設定されたエレベータの設定の優先度の閾値よりも呼び需要が小さい時に、インフォメーションデータの配信タイミングを設定し、
設定された配信タイミングで前記無線機を介してインフォメーションデータを前記基準待機階に停止中のエレベータのインフォメーション制御装置に無線送信する、ことを特徴とするインフォメーションデータ配信システム。
【請求項２】
前記配信サーバは、前記エレベータが設置された建屋に設置された管理装置からの手動指示によって前記インフォメーションデータの配信タイミングを設定する、ことを特徴とする請求項１に記載のインフォメーションデータ配信システム。
【請求項３】
インフォメーションデータの配信中に群管理されたエレベータの呼び需要が前記閾値を超えた場合には、前記基準待機階に停止中のエレベータは待機を中断して呼びに応答する、ことを特徴とする請求項１に記載のインフォメーションデータ配信システム。
【請求項４】
群管理されたエレベータにおける基準待機階付近の昇降路内に設置された無線機と、前記無線機に通信ケーブルを介してインフォメーションデータを配信する配信サーバと、乗りかごに設けられ、当該乗りかごが基準待機階に停止中に、前記配信サーバから配信されたインフォメーションデータを前記無線機からの無線送信データとして受信して、乗りかご内の案内装置に供給するインフォメーション制御装置とを備えるインフォメーションデータ配信システムにおけるインフォメーションデータ配信方法であって、
前記配信サーバからのインフォメーションデータの更新タイミングになると、群管理でのエレベータの呼び需要を判定して呼び応答の優先度を設定し、
インフォメーションデータの更新優先度と、前記呼び応答の優先度とを比較し、
データ更新の優先度の方が、更新対象となるエレベータの呼び応答の優先度よりも低い場合には、当該エレベータは呼び応答に対応し、
データ更新の優先度の方が、更新対象となるエレベータの呼び応答の優先度よりも高い場合には、当該エレベータは基準待機階まで走行して待機し、
前記配信サーバは、前記無線機に対して通信ケーブルを介して更新されたインフォメーションデータを送信し、
前記無線機は、基準待機階に待機中のエレベータの前記インフォメーション制御装置に向けて更新されたインフォメーションデータを伝送する、ことを特徴とするインフォメーションデータ配信方法。
【手続補正２】
【補正対象書類名】明細書
【補正対象項目名】００３６
【補正方法】変更
【補正の内容】
【００３６】
したがって本実施形態によれば、データ転送のタイミングをエレベータの群管理上の需給予測と連動させるようにしたので、データ転送用の無線機を昇降路全体に設置することなく、また短距離伝送でも十分に要求を満足させることができる。